(57)【要約】【課題】本発明は、アップライト型掃除機に関し、特に、ハンドルが設けられる延長管が異物が流入する流路に転換できるようにして、延長管に流入管及びヘッドを設けることで、キャニスタ型に転換可能なアップライト型掃除機に関する。【解決手段】本発明によるキャニスタ型に転換可能なアップライト型掃除機は、一定空間を有し、吸入口及び吐出口が形成され、前記吸入口内側に吸入装置が設けられる掃除機本体と、前記掃除機本体が上面に着脱可能に設けられ、捕集口及び排出口が形成される吸入部と、前記掃除機本体の上部に設けられるハンドルと、前記ハンドルと前記掃除機本体との間に設けられ、内部が中空になり、異物が流入する流路を成し、前記掃除機本体に着脱可能に設けられる延長管と、前記延長管と前記掃除機本体との間に設けられ、前記延長管の円周面を拘束する固定手段と、前記吸入口に一側端部が連結され、他側端部は前記排出口または前記ハンドルに選択的に結合される流入管と、を含むことを特徴とする。【選択図】図２
2009504309.tif 000002
【特許請求の範囲】
【請求項１】
吸入口及び吐出口が形成され、前記吸入口内側に吸入装置が設けられる掃除機本体と、
前記掃除機本体が上面に着脱可能に設けられ、捕集口及び排出口が形成される吸入部と、
前記掃除機本体の上部に設けられるハンドルと、
前記ハンドルと前記掃除機本体との間に設けられ、内部が中空になり、異物が流入する流路を成し、前記掃除機本体に着脱可能に設けられる延長管と、
前記延長管と前記掃除機本体との間に設けられ、前記延長管の円周面を拘束する固定手段と、
前記吸入口に一側端部が連結され、他側端部は前記排出口または前記ハンドルに選択的に結合される流入管と、
を含むことを特徴とするキャニスタ型に転換可能なアップライト型掃除機。
【請求項２】
前記固定手段と前記延長管とが配置される前記掃除機本体の一部分に設けられるカバーをさらに含むことを特徴とする請求項１に記載のキャニスタ型に転換可能なアップライト型掃除機。
【請求項３】
前記固定手段と前記カバーとの間に設けられ、使用者の操作により前記延長管を前記固定手段から離脱させる着脱手段をさらに含むことを特徴とする請求項２に記載のキャニスタ型に転換可能なアップライト型掃除機。
【請求項４】
前記ハンドルには、前記延長管の上端に設けられ、前記延長管と連通して前記流入管が連結される締結孔部が形成されることを特徴とする請求項１に記載のキャニスタ型に転換可能なアップライト型掃除機。
【請求項５】
前記延長管には、前記固定手段と対応する部分に固定突起が側方向に出没可能に設けられ、前記固定突起の内側端部及び前記延長管の内壁にＣ形スプリングが設けられることを特徴とする請求項１に記載のキャニスタ型に転換可能なアップライト型掃除機。
【請求項６】
前記固定手段は、
前記掃除機本体の一側に凹状に形成される安着部と、
半円状に形成され、両側下端が前記安着部に締結され、前記延長管の円周面を拘束するフレームと、
前記フレームに形成され、前記固定突起が挿入される係止孔部と、
を含むことを特徴とする請求項５に記載のキャニスタ型に転換可能なアップライト型掃除機。
【請求項７】
前記カバーには、多数の車輪が設けられることを特徴とする請求項２に記載のキャニスタ型に転換可能なアップライト型掃除機。
【請求項８】
前記着脱手段は、
前記カバーに形成される貫通孔部と、
前記貫通孔部に出没可能に設けられるノブと、
前記ノブと前記カバーとの間に介在されるスプリングと、
を含むことを特徴とする請求項３に記載のキャニスタ型に転換可能なアップライト型掃除機。
【請求項９】
吸入口及び吐出口が形成され、前記吸入口内側に吸入装置が設けられる掃除機本体と、
前記掃除機本体が上面に着脱可能に設けられ、捕集口及び排出口が形成される吸入部と、
前記掃除機本体に着脱可能に設けられ、内部が中空になり、異物が流入する流路を成す延長管と、
前記延長管上端に設けられ、異物が流入する流路を成すハンドルと、
前記吸入口に一側端部が連結され、他側端部は前記排出口または前記ハンドルに選択的に結合される流入管と、を含むことを特徴とするキャニスタ型に転換可能なアップライト型掃除機。
【請求項１０】
前記ハンドルは、
前記延長管上端に設けられ、異物が吸入される流路が形成されるハンドル本体と、
前記ハンドル本体と前記延長管との間に設けられる流動防止手段と、
前記ハンドル本体の前面に設けられ、前記流動防止手段及び前記ハンドル本体を拘束するハンドルカバーと、を含むことを特徴とする請求項９に記載のキャニスタ型に転換可能なアップライト型掃除機。
【請求項１１】
前記ハンドル本体は、
下端外壁に形成され、前記流動防止手段の固定キャップと締結されるねじ山と、
前記流入管が連結されるように、異物が流入する流路の上端内壁に係止溝部が形成される締結孔部と、を含むことを特徴とする請求項１０に記載のキャニスタ型に転換可能なアップライト型掃除機。
【請求項１２】
前記流動防止手段は、前記延長管上部の円周面に形成される安着溝部と、
前記安着溝部に挿入される固定クリップと、
前記固定クリップが貫通するように、前記ハンドル本体に形成される挿入孔部と、
前記固定クリップ及び前記挿入孔部を覆う前記ハンドルカバー及び前記ハンドル本体を拘束する固定キャップと、を含むことを特徴とする請求項１０に記載のキャニスタ型に転換可能なアップライト型掃除機。
【請求項１３】
前記安着溝部は、前記延長管の円周面が内側に凹状に折曲形成され、左右方向に長い一
対の溝部が所定間隔を維持するように形成されることを特徴とする請求項１２に記載のキ
ャニスタ型に転換可能なアップライト型掃除機。
【請求項１４】
前記固定クリップは、両側端部が前記安着溝部に挿入されるように、「コ」の字状に形
成されることを特徴とする請求項１２に記載のキャニスタ型に転換可能なアップライト型
掃除機。
【発明の詳細な説明】
【技術分野】
【０００１】
本発明は、アップライト型掃除機に関し、特に、ハンドルが設けられる延長管を、異物
が流入する流路として使用可能にすることで、延長管に流入管及びヘッドを設けて、キャ
ニスタ型に転換可能なアップライト型掃除機に関する。
【背景技術】
【０００２】
一般に、真空掃除機は、ファンモータの駆動による真空ポンプの動作に伴う負圧により発生する強力な吸引力を用いて、室内の床、壁、隙間、壁面などに散在している塵埃やその他の異物を吸入し、内部の集塵フィルタにより捕集できるように構成される家電機器である。
【０００３】
現在広く普及されて使用されている真空掃除機は、その使用状態と形態によって、隅の掃除及び移動が便利で、ブラシやノズルの交替が容易なキャニスタ型（Ｃａｎｉｓｔｅｒ  ｔｙｐｅ）と、広い空間の掃除が容易で、保管が便利なアップライト型（Ｕｐｒｉｇｈｔ  ｔｙｐｅ）とに区分できる。
【０００４】
図１は、従来技術によるアップライト型掃除機の斜視図である。
【０００５】
従来のアップライト型真空掃除機は、底面に移動車輪１０５が設けられ、底面から塵埃を吸入する吸入部１００と、モータなどの部品が内蔵される駆動ボックス２００と、直立型のハンドル３００とで構成される。
【０００６】
上記のように、真空掃除機において、吸入部１００の底面には、ブラシが設けられた吸入口（図示せず）が形成され、ブラシにより除去された塵埃が吸入される。吸入された塵埃は所定の空気流動過程を経て、フィルタを通して集塵され、その後、外部に空気が吐出される。
【０００７】
従来技術によるアップライト型掃除機は、前記吸入部が掃除機本体の他の部分に比べて相対的に広く形成されるので、掃除機が直立し、広い空間を移動しながら容易に掃除することができ、掃除作業が終了した後、直立した状態で保管できるという長所がある。しかし、吸入部が底面と対応する状態で掃除作業が行われるため、角部分や家具間の隙間などの狭い空間の掃除作業は困難であるという問題点がある。
【０００８】
さらに、吸入部及び駆動ボックスにより比較的に重い掃除機本体が直立した状態を維持するため、異物が流入する吸入口側に設けられるローラ及びフィルタなどの部材の掃除や交替作業が難しいという問題点がある。従って、これを改善する必要性が要求される。
【発明の開示】
【発明が解決しようとする課題】
【０００９】
本発明は、上述の問題点に鑑みてなされたもので、その目的は、ハンドルを掃除機本体に着脱可能に設け、異物が流入する流路を形成することで、ハンドルに掃除機ヘッド及び流入管を設置可能にし、キャニスタ型に転換可能なアップライト型掃除機を提供することにある。
【課題を解決するための手段】
【００１０】
上記の目的を達成すべく、本発明によるキャニスタ型に転換可能なアップライト型掃除機は、吸入口及び吐出口が形成され、前記吸入口内側に吸入装置が設けられる掃除機本体と、前記掃除機本体が上面に着脱可能に設けられ、捕集口及び排出口が形成される吸入部と、前記掃除機本体の上部に設けられるハンドルと、前記ハンドルと前記掃除機本体との間に設けられ、内部が中空になり、異物が流入する流路を成し、前記掃除機本体に着脱可能に設けられる延長管と、前記延長管と前記掃除機本体との間に設けられ、前記延長管の円周面を拘束する固定手段と、前記吸入口に一側端部が連結され、他側端部は前記排出口または前記ハンドルに選択的に結合される流入管と、を含むことを特徴とする。
【００１１】
また、本発明は、前記固定手段と前記延長管とが配置される前記掃除機本体の一部分に設けられるカバーをさらに含むことが好ましい。また、本発明は、前記固定手段と前記カバーとの間に設けられ、使用者の操作により前記延長管を前記固定手段から離脱させる着脱手段をさらに含むことが好ましい。
【００１２】
前記ハンドルには、前記延長管の上端に設けられ、前記延長管と連通して前記流入管が連結される締結孔部が形成されることが好ましい。
【００１３】
前記延長管には、前記固定手段と対応する部分に固定突起が側方向に出没可能に設けられ、前記固定突起の内側端部及び前記延長管の内壁にＣ形スプリングが設けられることが好ましい。ここで、前記固定手段は、前記掃除機本体の一側に凹状に形成される安着部と、半円状に形成され、両側下端が前記安着部に締結され、前記延長管の円周面を拘束するフレームと、前記フレームに形成され、前記固定突起が挿入される係止孔部と、を含むことを含むことが好ましい。
【００１４】
また、前記カバーには、多数の車輪が設けられることが好ましい。また、前記着脱手段は、前記係止孔部と対応して前記カバーに形成される貫通孔部と、前記貫通孔部に出没可能に設けられるノブと、前記ノブと前記カバーとの間に介在されるスプリングと、を含むことが好ましい。
【００１５】
本発明によるキャニスタ型に転換可能なアップライト型掃除機は、吸入口及び吐出口が形成され、前記吸入口内側に吸入装置が設けられる掃除機本体と、前記掃除機本体が上面に着脱可能に設けられ、捕集口及び排出口が形成される吸入部と、前記掃除機本体に着脱可能に設けられ、内部が中空になり、異物が流入する流路を成す延長管と、前記延長管上端に設けられ、異物が流入する流路を成すハンドルと、前記吸入口に一側端部が連結され、他側端部は前記排出口または前記ハンドルに選択的に結合される流入管と、を含むことを特徴とする。
【００１６】
また、前記ハンドルは、前記延長管上端に設けられ、異物が吸入される流路が形成されるハンドル本体と、前記ハンドル本体と前記延長管との間に設けられる流動防止手段と、前記ハンドル本体の前面に設けられ、前記流動防止手段及び前記ハンドル本体を拘束するハンドルカバーと、を含むことが好ましい。
【００１７】
また、前記ハンドル本体は、下端外壁に形成され、前記流動防止手段の固定キャップと締結されるねじ山と、前記流入管が連結されるように、異物が流入する流路の上端内壁に係止溝部が形成される締結孔部と、を含むことが好ましい。
【００１８】
また、前記流動防止手段は、前記延長管上部の円周面に形成される安着溝部と、前記安着溝部に挿入される固定クリップと、前記固定クリップが貫通するように、前記ハンドル本体に形成される挿入孔部と、前記固定クリップ及び前記挿入孔部を覆う前記ハンドルカバー及び前記ハンドル本体を拘束する固定キャップと、を含むことが好ましい。ここで、前記安着溝部は、前記延長管の円周面が内側に凹状に折曲形成され、左右方向に長い一対の溝部が所定間隔を維持するように形成されることが好ましい。また、前記固定クリップは、両側端部が前記安着溝部に挿入されるように、「コ」の字状に形成されることが好ましい。
【発明の効果】
【００１９】
本発明によるキャニスタ型に転換可能なアップライト型掃除機は、異物が流入する流路が延長管及びハンドルに形成され、延長管及びハンドルが掃除機本体に着脱可能に設けられることで、使用者の操作による流入管の設置有無によって、掃除機をアップライタ型またはキャニスタ型として使用できる。従って、広い場所を掃除するときは、アップライト型掃除機として、掃除を容易にすることができ、狭い場所や隙間などに積もった異物を吸入するときは、キャニスタ型掃除機として使用することで、掃除を便利にすることができるという長所がある。
【００２０】
また、本発明は、延長管の流路内部に挿入されず延長管の円周面を拘束する固定手段及び延長管の離脱を容易にする着脱手段が設けられることで、アップライト型掃除機として使用されるとき、延長管及びハンドルと掃除機本体との間に間隙が発生しないようにすることで、安全な掃除ができるという長所がある。さらに、延長管の装着及び離脱が繰り返されても、延長管の流路に変形や破損が発生しないので、掃除機の寿命が延長されるという長所がある。
【００２１】
また、本発明は、使用者の操作による掃除機本体と吸入部の着脱有無によって掃除機をアップライト型またはキャニスタ型として使用できる。従って、広い場所を掃除するときは、アップライト型掃除機として、掃除を容易にできるという長所があり、狭い場所や隙間などに積もった異物を吸入するときは、キャニスタ型掃除機として使用することで、掃除を便利にすることができるという長所がある。
【００２２】
さらに、本発明は、ハンドル本体が流動防止手段により延長管の上端に堅固に設けられることで、アップライト型掃除機として使用されるとき、延長管及びハンドルと掃除機本体との間に間隙が発生しないようにして、安全な掃除ができるという長所がある。さらに、延長管の装着及び離脱が繰り返されても、延長管とハンドルとの間に感激が発生せず、延長管及びハンドルに変形や破損が発生しないので、掃除機の寿命が延長されるという長所がある。
【発明を実施するための最良の形態】
【００２３】
以下、本発明によるキャニスタ型に転換可能なアップライト型掃除機の一実施の形態を、添付の図面を参照して詳細に説明する。
【００２４】
図２は、本発明によるキャニスタ型に転換可能なアップライト型掃除機の斜視図である。
【００２５】
本発明によるキャニスタ型に転換可能なアップライト掃除機は、一定空間を成し、吸入口１２及び吐出口１３が形成され、前記吸入口１２内側に吸入装置（図示せず）が設けられた掃除機本体１０と、前記掃除機本体１０が直立するように上面に着脱可能に設けられ、捕集口（図示せず）及び排出口１８が形成された吸入部１５と、前記吸入口１２と排出口１８との間に設けられた流入管７０と、前記掃除機本体１０の上部に設けられたハンドル２０と、前記ハンドル２０と掃除機本体１０との間に設けられ、内部が中空となり、異物が流入する流路を成し、掃除機本体１０に着脱可能に設けられた延長管３０と、前記延長管３０と掃除機本体１０との間に設けられ、延長管３０の円周面を拘束する固定手段４０と、前記固定手段４０と延長管３０の下端とが配置される掃除機本体１０の一部分に設けられるカバー５０と、前記固定手段４０とカバー５０との間に設けられ、使用者の操作により延長管３０を固定手段４０から離脱させる着脱手段６０とを含んで構成される。
【００２６】
使用者の操作により、掃除機本体１０が吸入部１５の上面に安着し、流入管７０が排出口１８に差し込まれると、吸入部１５の捕集口を通して流入した異物及び空気が排出口１８を経て、流入管７０及び吸入口１２を通して掃除機本体１０内部に流入するアップライト型掃除機が構成される。使用者の操作により掃除機本体１０が吸入部１５から離脱し、流入管７０が排出口１８から離脱してハンドル２０に締結されると、図５に示すように、前記延長管３０からハンドル２０を経て掃除機本体１０まで連通する異物及び空気の吸入流路が形成されるキャニスタ型掃除機が構成される。
【００２７】
ここで、前記掃除機本体１０は、図２に示すように、垂直方向に長い空間を形成して、その内部に集塵ボックス及び吸入装置が設けられる。掃除機本体１０の上端には吸入口１２が形成され、前面下部には吐出口１３が形成される。
【００２８】
そして、吸入部１５は、前記掃除機本体１０と比べて、相対的に下部が広く形成され、上面に掃除機本体１０が結合されると直立できるようにする。吸入部１５の底面に捕集口が形成され、上部一側に捕集口から流入した異物及び空気が吐出される排出口１８が形成される。従って、掃除機本体１０が吸入部１５上面に結合されると、捕集口に流入した異物及び空気が排出口１８を経て流入管７０に沿って掃除機本体１０に吸入されるアップライト型掃除機が構成される。
【００２９】
前記ハンドル２０は前記延長管３０の上端に設けられる。前記ハンドル２０には、延長管３０と連通して前記流入管７０が連結される締結孔部２２ａが形成される。前記締結孔部２２ａに流入管７０を連結すると、延長管３０の下端から流入した異物が延長管３０に沿って流動し、ハンドル２０及び締結孔部２２ａを経て、流入管７０を通して掃除機本体１０内部に流入し、掃除作業が行われる。
【００３０】
図３は、本発明による固定手段及び着脱手段を示す分解斜視図であり、図４は、本発明による固定手段及び着脱手段を示す断面図であり、図５は、本発明による固定手段及び着脱手段の作動状態を示す断面図である。また、図６は、本発明によるキャニスタ型に転換可能なアップライト型掃除機の使用状態図である。
【００３１】
前記延長管３０には、前記固定手段４０と対応する下端に固定突起３２が側方向に出没可能に設けられる。前記固定突起３２の内側端部及び延長管３０の内壁に、図４及び図５に示すようなＣ形スプリング３４が設けられ、延長管３０内部の流路抵抗を最小化しながら、前記固定突起３２に弾発力を与えることができる。
【００３２】
さらに、前記固定手段４０は、前記掃除機本体１０の上部に凹状に形成される安着部４２と、半円状に形成され、両側下端が安着部４２に締結され、延長管３０の下端が挿入されるフレーム４４と、前記フレーム４４に形成され、前記固定突起３２が差し込まれる係止孔部４６とを含んで構成される。
【００３３】
かかる構成により、延長管３０がフレーム４４の内側に挿入されると、図５に示すように、固定突起３２がフレーム４４により延長管３０内側に流動しながら、Ｃ形スプリング３４が延長管３０内側に圧縮される。延長管３０の挿入が完了すると、固定突起３２がＣ形スプリング３４の復元力により、係止孔部４６外側に突出することで、延長管３０が装着される。
【００３４】
従って、前記延長管３０が掃除機本体１０に装着され、掃除機本体１０から離脱するとき、延長管３０の中空による流路が変形されたり、固定手段４０が流路内部に挿入されることなく、延長管３０の円周面が拘束されて装着されるので、延長管３０の装着及び離脱が繰り返されても、異物が流入する流路を成す延長管３０の変形や破損を防止することができる。
【００３５】
前記カバー５０の外壁に多数の車輪５２が設けられ、掃除機本体１０が側方向に長く配置されるキャニスタ型として使用されるとき、掃除機本体１０の移動が容易になる。また、前記フレーム４４の上端と対応する内壁には傾斜部が形成され、延長管３０が安着部４２とカバー５０との間に挿入されるとき、前記固定突起５２が傾斜部を通過しながら延長管３０内側に圧縮されるので、延長管３０がフレーム４４内部に容易に挿入できる。
【００３６】
前記着脱手段６０は、前記係止孔部４６と対応してカバー５０に形成された貫通孔部６２と、前記貫通孔部６２に出没可能に設けられたノブ６４と、前記ノブ６４とカバー５０との間に介在されたスプリング６６とを含んで構成される。前記ノブ６４を押すと、ノブ６４の内側端部に対応する固定突起３２が延長管３０内側に流動しながら、図５に示すように延長管３０が離脱する。
【００３７】
以下、上記のように構成された本発明によるキャニスタ型に転換可能なアップライト型掃除機の動作を説明する。
【００３８】
先ず、アップライト型掃除機として使用されるときは、前記延長管３０をカバー５０及び固定手段４０に挿入する。延長管３０が傾斜部を経て、固定突起３２が傾斜部により加圧され、延長管３０内側に流動して、Ｃ形スプリング３４が圧縮される。延長管３０の挿入が完了すると、固定突起３２がＣ形スプリング３４の復元力により係止孔部４６の外側に突出して、延長管３０が装着される。従って、使用者がハンドル２０を把持し、吸入部１５を多数の車輪１６の移動により移動させながら、掃除作業をすることができるアップライト型掃除機が成される。
【００３９】
以後、狭い空間や家具の隙間を掃除するときは、キャニスタ型掃除機に転換される。前記ノブ６４を押すと、ノブ６４の内側端部が固定突起３２を延長管３０内側に押して、延長管３０の垂直方向の拘束が解除される。ここで、使用者がハンドル２０を把持して上側に引っ張ると、延長管３０の下端がフレーム４４及びカバー５０から離脱する。
【００４０】
掃除機本体１０から離脱したハンドル２０の締結孔部２２ａと掃除機本体１０上部の吸入口１２との間に流入管７０を設け、延長管３０の下端にヘッド８０を設ける。その後、吸入装置を駆動すると、図６に示すように、掃除機本体１０が底面に側方向に長く配置された状態で、ハンドル２０及び延長管３０を移動させて掃除をするキャニスタ型掃除機が成される。
【００４１】
図７は、本発明によるキャニスタ型に転換可能なアップライト型掃除機のハンドルを示す分解斜視図であり、図８は、本発明によるキャニスタ型に転換可能なアップライト型掃除機のハンドルを示す断面図である。
【００４２】
前記ハンドル２０は、延長管３０上端に設けられ、異物が吸入される流路が形成されたハンドル本体２２と、前記ハンドル本体２２と延長管３０との間に設けられた流動防止手段２６と、前記ハンドル本体２２前面に設けられ、流動防止手段２６をハンドル本体２２に固定するハンドルカバー２４とを含んで構成される。
【００４３】
ここで、前記ハンドル本体２２は、前記流動防止手段２６と締結されるねじ山が下端外壁に形成され、異物が流入する流路の上端内壁に係止溝部２２ｃが形成され、流入管７０が連結される締結孔部２２ａを形成する。ハンドル本体２２の上端部には、使用者の手が接触される背面に、軟性材質のグリップ２２ｂが設けられる。
【００４４】
ハンドル本体２２及びハンドルカバー２４は、前記流動防止手段２６により延長管３０の上端に装着され、延長管３０の流路とハンドル本体２２の内部に形成された流路が連通する。キャニスタ型掃除機に転換されるとき、前記流入管７０が締結孔部２２ａに連結されると、延長管３０、ハンドル２０及び流入管７０に伸びる一つの流路が形成され、異物が掃除機本体１０内部に流入できるようにすると共に、軟性材質の前記グリップ２２ｂにより使用者のグリップ感が向上する。
【００４５】
前記流動防止手段２６は、図８に示すように、前記延長管３０上部の円周面に形成された安着溝部２６ｂと、前記安着溝部２６ｂに挿入される固定クリップ２６ｄと、前記固定クリップ２６ｄが貫通されるよう、ハンドル本体２２に形成された挿入孔部２６ｃと、前記固定クリップ２６ｄ及び挿入孔部２６ｃを覆うハンドルカバー２４及びハンドル本体２２を拘束する固定キャップ２６ａとを含んで構成される。
【００４６】
ここで、前記安着溝部２６ｂは、前記延長管３０の円周面で内側に凹状に折曲形成され、左右方向に長い一対の溝部が一定間隔を維持するように形成される。前記固定クリップ２６ｄは、「コ」状に形成され、両側端部が安着溝部２６ｂに挿入される。
【００４７】
かかる構成により、前記延長管３０を固定キャップ２６ａに挿入した後、ハンドル本体２２に延長管３０を差し込む。ここで、前記挿入孔部２６ｃが安着溝部２６ｂに対応するように配置した後、前記固定クリップ２６ｄを安着溝部２６ｂに挿入して、ハンドル本体２２の流動を防止することができる。
【００４８】
そして、前記ハンドル本体２２の前面にボルト締結によりハンドルカバー２４を結合することで、固定クリップ２６ｄの離脱を防止する。それと共に、挿入孔部２６ｃ及び固定クリップ２６ｄがハンドルカバー２４により覆われるので、ハンドル２０の外観が美麗に仕上がる。前記固定キャップ２６ａをハンドル本体２２及びハンドルカバー２４の下端に締結すると、ハンドル２０の装着が完了する。
【００４９】
以下、上記のように構成された本発明によるキャニスタ型に転換可能なアップライト型掃除機の動作を説明する。
【００５０】
上記のようにハンドル２０が設けられた延長管３０は、掃除機本体１０に着脱可能に設けられる。アップライト型掃除機として使用されるとき、前記延長管３０は、図２に示すように、カバー５０により掃除機本体１０に装着されるので、ハンドル２０を把持して、掃除機本体１０を吸入部１５に設けられた車輪１６により移動させながら掃除作業をすることができる。
【００５１】
さらに、キャニスタ型掃除機に転換するときは、ノブ６４を操作して延長管３０を掃除機本体１０から離脱させ、前記流入管７０を排出口１８から離脱させて、ハンドル本体２２の締結孔部２２ａに挿入した後、掃除機本体１０を吸入部１５から離脱させて底面に横たえる。このとき、延長管３０の下端にはヘッド８０を設けて、家具間の隙間のような狭い場所の掃除作業を容易にすることができる。
【００５２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００５３】
【図１】従来技術によるアップライト型掃除機の斜視図である。
【図２】本発明によるキャニスタ型に転換可能なアップライト型掃除機の斜視図である。
【図３】本発明による固定手段及び着脱手段の分解斜視図である。
【図４】本発明による固定手段及び着脱手段の断面図である。
【図５】本発明による固定手段及び着脱手段の作動状態を示す断面図である。
【図６】本発明によるキャニスタ型に転換可能なアップライト型掃除機の使用状態図である。
【図７】本発明によるキャニスタ型に転換可能なアップライト型掃除機のハンドルを示す分解斜視図である。
【図８】本発明によるキャニスタ型に転換可能なアップライト型掃除機のハンドルを示す断面図である。
【図１】
2009504309.tif 000003
【図２】
2009504309.tif 000004
【図３】
2009504309.tif 000005
【図４】
2009504309.tif 000006
【図５】
2009504309.tif 000007
【図６】
2009504309.tif 000008
【図７】
2009504309.tif 000009
【図８】
2009504309.tif 000010
【国際調査報告】
2009504309.tif 000011
2009504309.tif 000012